(57)【要約】【課題】感光体に金属石鹸を塗布する際の金属石鹸の塗布量を安定させ、画像品質や信頼性品質に優れる画像形成装置及びプロセスカートリッジ並びに画像形成方法を提供すること。【解決手段】感光体１と、帯電手段２と、露光手段と、トナーを用いて現像する現像手段４と、転写手段５，６と、前記感光体１上に残留したトナーをクリーニングするクリーニング手段と、前記感光体１表面に滑剤１２を供給する滑剤供給手段１１とを備え、前記クリーニング手段は、複数のクリーニング部材を具備し、該複数のクリーニング部材の中の１は不織布１０を有し、該不織布１０は、前記複数のクリーニング部材の中で最も上流に配置されず、且つ前記感光体１に当接配置されてなり、前記滑剤供給手段１１は、前記不織布１０より下流に配置され、前記不織布を清掃する清掃手段１４を備えてなることを特徴とする。【選択図】図１
2013020011.tif 000002
【特許請求の範囲】
【請求項１】
所定の回転方向に回転する感光体と、
該感光体を帯電させる帯電手段と、
前記感光体を露光して静電潜像を形成する露光手段と、
前記静電潜像をトナーで現像してトナー像を形成する現像手段と、
前記トナー像を前記感光体から転写材に転写する転写手段と、
該転写手段により前記トナー像が前記感光体に転写された後の当該感光体上に残留したトナーをクリーニングするクリーニング手段と、
前記感光体表面に金属石鹸を含有する滑剤を供給する滑剤供給手段と、を備え、
前記クリーニング手段は、複数のクリーニング部材を具備し、
前記複数のクリーニング部材の中の少なくとも１は、不織布を有し、
該不織布は、前記複数のクリーニング部材の中で前記感光体の所定の回転方向に対して最も上流に配置されず、且つ、前記感光体に当接配置されてなり、
前記滑剤供給手段は、前記感光体の所定の回転方向に対して前記不織布より下流に配置されてなり、
前記不織布の表面を清掃する清掃手段を備えることを特徴とする画像形成装置。
但し、前記感光体の所定の回転方向において、前記帯電手段の配置位置が最も上流であり、当該感光体が最も上流から１周分回転する直前の位置が最も下流である。
【請求項２】
前記不織布は、前記複数のクリーニング部材の中で前記感光体の所定の回転方向に対して最も下流に配置されてなることを特徴とする請求項１に記載の画像形成装置。
【請求項３】
前記清掃手段は、板状部材であることを特徴とする請求項１または２に記載の画像形成装置。
【請求項４】
前記板状部材は、樹脂製であることを特徴とする請求項３に記載の画像形成装置。
【請求項５】
前記板状部材は、切り込みを有することを特徴とする請求項３または４に記載の画像形成装置。
【請求項６】
請求項１乃至５のいずれかに記載の画像形成装置に対して着脱自在に備えられるプロセスカートリッジであって、
少なくとも感光体と、前記感光体に当接配置されてなる不織布を有するクリーニング部材と、を備えることを特徴とするプロセスカートリッジ。
【請求項７】
所定の回転方向に回転する感光体を帯電させる帯電工程と、
前記感光体を露光して静電潜像を形成する露光工程と、
前記静電潜像をトナーで現像してトナー像を形成する現像工程と、
前記トナー像を前記感光体から転写材に転写する転写工程と、
該転写工程により前記トナー像が前記感光体に転写された後の当該感光体上に残留したトナーをクリーニングするクリーニング工程と、
前記感光体表面に金属石鹸を含有する滑剤を供給する滑剤供給工程と、を備え、
前記クリーニング工程は、複数のクリーニング部材で前記感光体上に残留したトナーをクリーニングし、
前記複数のクリーニング部材の中の少なくとも１は、不織布を有し、
該不織布は、前記複数のクリーニング部材の中で前記感光体の所定の回転方向に対して最も上流に配置されず、且つ、前記感光体に当接配置されてなり、
前記滑剤供給工程は、前記感光体の所定の回転方向に対して前記不織布より下流に配置されてなり、
前記不織布を清掃する清掃工程を備えることを特徴とする画像形成方法。
但し、前記感光体の所定の回転方向において、前記帯電工程が最も上流であり、当該感光体が最も上流から１周分回転する直前の位置が最も下流である。
【発明の詳細な説明】
【技術分野】
【０００１】
本発明は、金属石鹸を含む滑剤を感光体に供給しながら画像形成を行う画像形成装置、及び該画像形成装置に対して着脱自在に備えられるプロセスカートリッジ並びに画像形成方法に関する。
【背景技術】
【０００２】
複写機、プリンター等に広く使用されている電子写真方法に用いられる電子写真感光体（以下、単に感光体と言うことがある）としては、安価、大量生産性、無公害性等の利点から、有機系の感光材料が汎用されてきている。しかしながら、有機感光体は無機感光体と比較して耐摩耗性が低く、耐久性の点で劣っていた。
さらに近年では、電子写真システムのフルカラー化、高速化が望まれるようになり、各色毎に感光体を備えたタンデム方式のフルカラー画像形成装置が実用化されている。このタンデム方式の画像形成装置を小型化するには感光体の小径化が必須であるが、小径化に伴って感光体の単位長さあたりの印刷枚数が増加するため、感光体の耐摩耗性を主とする機械的耐久性の向上がさらに強く要望されるようになってきた。
【０００３】
有機感光体の耐摩耗性を向上させる方法として、金属あるいは金属酸化物からなるフィラーを含有する保護層を設けるものが、特許文献１（特開平１−１７０９５１号公報）に開示されている。
さらに、感光体表面に保護層を設けて感光体そのものの耐摩耗性を向上させる以外に、潤滑剤により感光体の表面エネルギーを低下させる方法が知られている。感光体への潤滑剤の供給方法としては、ブラシなどの塗布手段により固形の潤滑剤を塗布する（特許文献２：特開２０００−１６２８８１号公報）、トナーに滑剤を外添し感光体に供給する（特許文献３：特許第２８５９６４６号公報）等の各種の方法が知られている。また、潤滑剤により感光体の表面エネルギーを低下させることで、感光体の摩耗を低減させるだけでなく、転写率を向上させたり、転写中抜け等の異常画像の発生を防止することもできる。
【発明の概要】
【発明が解決しようとする課題】
【０００４】
滑剤塗布機構により感光体表面に金属石鹸を塗布することで、感光体の表面エネルギーを低減し、さらにはコロナ帯電等の強烈な帯電負荷から感光体を保護し、摩耗を低減することは可能である。
ところが、金属石鹸を塗布する画像形成装置には以下の解決しなければならない不具合点のあることが判明した。
金属石鹸の塗布量は画像形成装置の使用初期から寿命時まで一定であることが望まれる。しかしながら、作像する画像面積率や使用環境の変化により、金属石鹸の塗布量や消費量は変動を来たし、転写時に生じる転写中抜けや転写率などの画像品質、感光体摩耗量や金属石鹸の交換頻度などの信頼性品質が低下するなどの不具合が発生することがあった。
【０００５】
本発明は、このような問題点に鑑みてなされたものであり、感光体に金属石鹸を塗布する際の金属石鹸の塗布量を安定させ、画像品質や信頼性品質に優れる画像形成装置およびプロセスカートリッジ、並びに画像形成方法を提供することを課題とするものである。
【課題を解決するための手段】
【０００６】
本発明者らは種々検討した結果、クリーニング手段でクリーニングしきれないトナーやトナー外添剤があると、それらは金属石鹸（滑剤）を供給する領域に進入し、金属石鹸の塗布量に大きな影響を与える。更に詳しく述べると、作像する画像面積率が変化した場合や画像形成装置の環境が変動した場合には、金属石鹸を供給（塗布）する領域の前のクリーニング手段の性能が変動し、クリーニング手段でとりきれないすり抜けトナー量やすり抜け外添剤量が変動する。これらは次に金属石鹸を供給する領域に進入するため、すり抜けトナー量が変動すると金属石鹸から供給できる金属石鹸量も変動する。
そこで本発明者等は、このすり抜けトナー量の変動を少なくすることが金属石鹸を含有する滑剤の供給手段からの供給量の変動を少なくすることに対して効果が大きいということを見出した。
即ち、金属石鹸を含む滑剤を供給する領域の前であり、且つクリーニングにおける最上流を除く位置（好ましくは最下流の位置）に不織布を当接配置させることで、クリーニング部材をすり抜けて滑剤を供給する領域に進入するすり抜けトナー量、外添剤量が著しく低減できるため、安定して滑剤が感光体に供給されるようになった。その結果、転写中抜けや転写率などの画像品質、感光体摩耗量や金属石鹸の交換頻度などの信頼性品質が飛躍的に向上した画像形成装置が得られた。
【０００７】
しかし、長期間の使用によりクリーニング性が劣る不具合があることが判明した。
そこで本発明者等は鋭意検討を重ねた結果、長期間の使用によりクリーニング性が劣る原因が不織布の目詰まりであり、これを防止することで転写中抜けや転写率などの画像品質、感光体摩耗量や金属石鹸の交換頻度などの信頼性品質が飛躍的に向上し、長期間維持できることを知見した。
【０００８】
しかして、上記課題を解決するために本発明に係る画像形成装置およびプロセスカートリッジ、並びに画像形成方法は、具体的には下記記載の技術的特徴を有する。
【０００９】
即ち、本発明に係る画像形成装置は、所定の回転方向に回転する感光体と、該感光体を帯電させる帯電手段と、前記感光体を露光して静電潜像を形成する露光手段と、前記静電潜像を現像してトナー像を形成する現像手段と、前記トナー像を前記感光体から転写材に転写する転写手段と、該転写手段により前記トナー像が前記感光体に転写された後の当該感光体上に残留したトナーをクリーニングするクリーニング手段と、前記感光体表面に金属石鹸を含有する滑剤を供給する滑剤供給手段と、を備え、前記クリーニング手段は、複数のクリーニング部材を具備し、前記複数のクリーニング部材の中の少なくとも１は、不織布を有し、該不織布は、前記複数のクリーニング部材の中で前記感光体の所定の回転方向に対して最も上流に配置されず、且つ、前記感光体に当接配置されてなり、前記滑剤供給手段は、前記感光体の所定の回転方向に対して前記不織布より下流に配置されてなり、前記不織布の表面を清掃する清掃手段を備えることを特徴とする。但し、前記感光体の所定の回転方向において、前記帯電手段の配置位置が最も上流であり、当該感光体が最も上流から１周分回転する直前の位置が最も下流である。
【００１０】
また、本発明に係るプロセスカートリッジは、上記画像形成装置に対して着脱自在に備えられるプロセスカートリッジであって、少なくとも感光体と、前記感光体に当接配置されてなる不織布を有するクリーニング部材と、を備えることを特徴とする。
【００１１】
さらに、本発明に係る画像形成方法は、所定の回転方向に回転する感光体を帯電させる帯電工程と、前記感光体を露光して静電潜像を形成する露光工程と、前記静電潜像を現像してトナー像を形成する現像工程と、前記トナー像を前記感光体から転写材に転写する転写工程と、該転写工程により前記トナー像が前記感光体に転写された後の当該感光体上に残留したトナーをクリーニングするクリーニング工程と、前記感光体表面に金属石鹸を含有する滑剤を供給する滑剤供給工程と、を備え、前記クリーニング工程は、複数のクリーニング部材で前記感光体上に残留したトナーをクリーニングし、前記複数のクリーニング部材の中の少なくとも１は、不織布を有し、該不織布は、前記複数のクリーニング部材の中で前記感光体の所定の回転方向に対して最も上流に配置されず、且つ、前記感光体に当接配置されてなり、前記滑剤供給工程は、前記感光体の所定の回転方向に対して前記不織布より下流に配置されてなり、前記不織布の表面を清掃する清掃工程を備えることを特徴とする。但し、前記感光体の所定の回転方向において、前記帯電工程が最も上流であり、当該感光体が最も上流から１周分回転する直前の位置が最も下流である。
【発明の効果】
【００１２】
本発明によれば、長期間にわたり安定して滑剤が感光体に供給され、転写中抜けや転写率などの画像品質、感光体摩耗量や金属石鹸の交換頻度などの信頼性品質が飛躍的に向上した画像形成装置がおよびプロセスカートリッジ、並びに画像形成方法を提供することができる。
【図面の簡単な説明】
【００１３】
【図１】本発明に係る画像形成装置の第１の実施の形態における構成を示す断面模式図である。
【図２】本発明に係る画像形成装置の第２の実施の形態における構成を示す断面模式図である。
【図３】本発明に係る画像形成装置の第３の実施の形態における構成を示す断面模式図である。
【図４】（ａ）不織布ローラ１０の平面図である。（ｂ）図４（ａ）に示すIIｂ−IIｂ断面線における不織布ローラ１０の拡大断面図である。
【図５】不織布ローラ１０及び清掃手段１４の構成を示す断面模式図である。
【図６】実施例で作像した画像のパターンを示す図である。
【発明を実施するための形態】
【００１４】
本発明に係る画像形成装置は、所定の回転方向に回転する感光体１と、該感光体１を帯電させる帯電手段２と、前記感光体を露光して静電潜像を形成する露光手段と、前記静電潜像をトナーで現像してトナー像を形成する現像手段４と、前記トナー像を前記感光体１から転写材に転写する転写手段５，６と、該転写手段５，６により前記トナー像が前記感光体１に転写された後の当該感光体１上に残留したトナーをクリーニングするクリーニング手段９，１０と、前記感光体１表面に金属石鹸を含有する滑剤１２を供給する滑剤供給手段１１と、を備え、前記クリーニング手段９，１０は、複数のクリーニング部材を具備し、前記複数のクリーニング部材の中の少なくとも１は、不織布１０を有し、該不織布１０は、前記複数のクリーニング部材の中で前記感光体１の所定の回転方向に対して最も上流に配置されず、且つ、前記感光体１に当接配置されてなり、前記滑剤供給手段１１は、前記感光体１の所定の回転方向に対して前記不織布１０より下流に配置されてなり、前記不織布の表面を清掃する清掃手段１４を備えることを特徴とする。但し、前記感光体１の所定の回転方向において、前記帯電手段２の配置位置が最も上流であり、当該感光体１が最も上流から１周分回転する直前の位置が最も下流である。
【００１５】
また、本発明に係る画像形成方法は、所定の回転方向に回転する感光体を帯電させる帯電工程と、前記感光体を露光して静電潜像を形成する露光工程と、前記静電潜像をトナーで現像してトナー像を形成する現像工程と、前記トナー像を前記感光体から転写材に転写する転写工程と、該転写工程により前記トナー像が前記感光体に転写された後の当該感光体上に残留したトナーをクリーニングするクリーニング工程と、前記感光体表面に金属石鹸を含有する滑剤を供給する滑剤供給工程と、を備え、前記クリーニング工程は、複数のクリーニング部材で前記感光体上に残留したトナーをクリーニングし、前記複数のクリーニング部材の中の少なくとも１は、不織布を有し、該不織布は、前記複数のクリーニング部材の中で前記感光体の所定の回転方向に対して最も上流に配置されず、且つ、前記感光体に当接配置されてなり、前記滑剤供給工程は、前記感光体の所定の回転方向に対して前記不織布より下流に配置されてなり、前記不織布の表面を清掃する清掃工程を備えることを特徴とする。但し、前記感光体の所定の回転方向において、前記帯電工程が最も上流であり、当該感光体が最も上流から１周分回転する直前の位置が最も下流である。
【００１６】
次に、本発明に係る画像形成装置およびプロセスカートリッジ、並びに画像形成方法についてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００１７】
＜画像形成装置、画像形成方法＞
図１は本発明に係る画像形成装置の第１の実施の形態における構成を示す断面模式図である。
作像プロセスとしてはまず、所定の回転方向（図１中反時計回りの矢印方向）に回転する感光体１は帯電手段である帯電ローラ２により帯電される（帯電工程）。
次いで、不図示の露光手段より発せられる書き込み光３により感光体１が露光されて静電潜像が形成され（露光工程）、現像手段である現像ローラ４によって静電潜像をトナー像として現像する（現像工程）。
感光体１上のトナー像は転写手段である転写ローラ５によって中間転写体６上に転写され、さらに図示しない転写紙（転写材）上に再度転写される（転写工程）。
トナー像の載った転写紙は図示していない定着部へ搬送され、トナー像は転写紙上に固定され（定着工程）、画像が得られる。
【００１８】
感光体１上から中間転写体６へ転写されなかった残留トナーは複数のクリーニング部材の中の１であるクリーニングブレード９で清掃される。次いで、複数のクリーニング部材の中の他の１である不織布１０が感光体に当接配置されているので、クリーニングブレード９で清掃できなかった残留トナーやトナー外添剤が不織布１０によってさらに清掃される（以上、クリーニング工程）。
なお、図１に示す例では、クリーニングブレード９と不織布１０とからなる２のクリーニング部材によりクリーニング手段が構成されている。また、図１において不織布１０はローラ形態で感光体１に当接している。ローラ形態である場合、不織布１０の感光体１との接触可能な面積を板状形態よりも大きくすることが出来るため、そのクリーニング性能や耐久性能を向上させることが出来る構成である。不織布ローラ１０はφ５〜３０ｍｍの円柱状金属のシャフトの外周面を１〜３０ｍｍ厚みの不織布で被覆したものが、感光体への押圧力やニップを調整することが容易になり、好適である。
【００１９】
このようにして清掃された感光体１表面に、金属石鹸を含有する滑剤を保持した滑剤供給手段である滑剤塗布ブラシ１１が感光体１に接触することにより、滑剤１２を摺擦して当該感光体１表面には滑剤が供給される（滑剤供給工程）。
最後に感光体の残留電荷を除電手段であるＱＬランプ１３の照射により取り除き（除電工程）、次の作像に備える。
【００２０】
この画像形成プロセスにおいて滑剤は、感光体のトナークリーニング性を向上させる潤滑機能、帯電による負荷から感光体を保護する保護機能、感光体からのトナー転写性を向上させるためのトナー離型機能を併せ持つ物である。このため、滑剤は近年の高画質化の潮流の中にあって画像形成の際に非常に重要な役割を果たしている。
【００２１】
図１に示す本発明に係る画像形成装置の構成においては、クリーニング工程の最後に不織布１０が当接配置されているので、クリーニングブレード９をすり抜けてきたトナーやトナー外添剤を不織布１０が取り除くことが出来る構成となっている。その結果、滑剤塗布ブラシ１１はトナーやトナー外添剤で汚染されることが抑制され、滑剤１２の消費量、感光体１への滑剤供給量、滑剤１２の感光体１上での塗布状態や被覆率を安定させることが出来る構成となっている。作像したい原稿が著しく高画像濃度である、或いは低画像濃度であるなど、原稿の画像濃度が異なる場合や、画像形成装置の使用環境が低温でクリーニングブレードのゴム特性が変化する環境などで特にその効果を発揮することが出来る。
【００２２】
さらに、不織布ローラ１０には清掃手段であるゲル状清掃部材１４が設けられている。このゲル状清掃部材１４により不織布ローラ１０表面からトナーやトナー外添剤を吸着し、不織布内部に取り込まれることが防止できる。このため、目詰まりによるクリーニング劣化が防止できる構成となっている。このゲル状清掃部材１４はゲル状であるため、画像形成時には不織布ローラ１０から離され、非画像形成時に当接されることが好ましい。
ここで、ゲル状清掃部材とは、高分子ゲルよりなる部材である。ＰＶＡ、アクリル酸、メタクリル酸等に架橋剤を用いて三次元的な網目構造を形成し、網目の内部に水等を吸収し、膨張した状態である。このため、不織布ローラ１０表面からトナーやトナー外添剤を吸着し、不織布内部に取り込まれることが防止できる。
【００２３】
なお、本発明における画像形成プロセスは、帯電、露光、現像、転写、クリーニング、滑剤塗布、必要に応じて除電、の順で、当該画像形成プロセスが流れることが好ましい。従って、帯電ローラ２の配置位置が画像形成プロセスにおける最上流であり、画像形成プロセスにより感光体１が１周回転した際に、次の画像形成プロセスの最上流となる。即ち、帯電ローラ２の配置位置が最も上流であり、この最上流の位置から感光体１の回転方向に１周回転した位置の直前が最も下流である。
【００２４】
図２は本発明に係る画像形成装置の第２の実施の形態における構成を示す断面模式図である。
クリーニング手段がクリーニングブラシ８、クリーニングブレード９、不織布ローラ１０の３部材の構成となっている。
不織布ローラ１０は、クリーニング手段の最終位置で且つ滑剤塗布ブラシ１１の直前に配置されている。
不織布ローラ１０には清掃手段である（薄肉）板状清掃部材１４が当接されている。この板状清掃部材１４により不織布ローラ１０表面からトナーやトナー外添剤を叩き落し、不織布内部に取り込まれることが防止できる。板状清掃部材は、金属製であると叩き落す力が強いが不織布ローラ１０を毛羽立たせるため、樹脂製が好ましい。叩き落されたトナーやトナー外添剤は、図示しない回収容器に集められる。
【００２５】
図２に示す不織布ローラは回転体であり、その回転方向は感光体１に対して順方向であっても、感光体に対して逆方向であってもかまわないが、順方向の場合は感光体と周速差を設けることが好ましい。
【００２６】
図３は本発明に係る画像形成装置の第３の実施の形態における構成を示す断面模式図である。
クリーニング手段はクリーニングブラシ８、クリーニングブレード９、不織布ローラ１０ａ、不織布ローラ１０ｂの４部材による構成となっている。
不織布ローラ１０ｂは、クリーニング手段の最終位置で且つ滑剤供給ローラ１１の直前に配置されている。
【００２７】
不織布ローラが２段構成となっている場合、不織布ローラ１０ａと不織布ローラ１０ｂの不織布の繊維材質は異なっていることが好ましい。例えば、感光体の最表層の結着樹脂がポリカーボネート樹脂であるとすると、不織布ローラ１０ａにはポリメタクリル酸メチル、羊毛、ナイロンなどのポリカーボネートよりも帯電列が＋側の繊維を用い、不織布ローラ１０ｂにはポリスチレン、ポリエチレン、ポリプロピレン、塩化ビニル、テフロン（登録商標）などのポリカーボネートよりも帯電列が−側の繊維を用いるとよい。このようにすれば残留トナー、残留外添剤の極性が異なっても、良好なクリーニング性能が得られる。
【００２８】
不織布ローラ１０ａには板状清掃部材１４ａが、不織布ローラ１０ｂには板状清掃部材１４ｂが、それぞれ当接されている。この板状清掃部材１４ａにより不織布ローラ１０ａ、不織布ローラ１０ｂ表面からトナーやトナー外添剤を叩き落し、不織布内部に取り込まれることが防止できる。叩き落されたトナーやトナー外添剤は、図示しない回収容器に集められる。
【００２９】
〔不織布〕
次に、本発明に係わる不織布について説明する。
本発明に係わる不織布は、繊維シート、ウェブ又はバットであり、繊維が一方向またはランダムに配向してなり、交流、及び／又は融着、及び／又は接着によって繊維間が結合されたものである。なお、本発明においては縮絨（しゅくじゅう）フェルトも不織布としてみなす。
【００３０】
不織布は、ポーラス（多孔質）構造であり、通気性・ろ過性・保温性などの基本的な特徴がある。加えてこの不織布は、目的や用途に合わせてこの特徴を引き出して機能を高めたり、多様な原料や製法の組み合わせによって布状・レザー状・綿状・紙状などさまざまな形状にしたり、しなやかなものから強靭なものまでつくることができる物である。つまり、必要に応じて機能と形状を自由自在に設計できることが最大の特徴である。
本発明においては、不織布の繊維の配列がランダムであることが、様々な繊維方向でトナーや外添剤を清掃することに効果を発揮している。
【００３１】
本発明に係わる不織布に用いられる繊維材料としては綿、羊毛、麻、ケナフ、バンブー、バナナ、パルプ、絹、などの天然繊維、ナイロン、ポリエステル、ポリプロピレン、アクリル繊維、ビニロン、アラミド繊維などの化学繊維、ガラス繊維などが使用できる。
天然繊維、合成繊維をはじめガラス・金属・セラミックス・パルプ・炭素繊維など、およそ繊維と呼ばれるもののほとんどを原料にすることが可能で、一般的には、ポリエステルなどの合成繊維が多く使用される。
本発明においても、様々な繊維が使用可能である。
【００３２】
さらに前述したように、感光体上に残留しているトナーや外添剤の帯電列に対して逆極性の帯電列から繊維を選定することが好ましい。
またさらに、不織布が２段構成となっていて、感光体の最表層の結着樹脂がポリカーボネート樹脂或いはそれに類似した樹脂が用いられる場合、一方の不織布にはポリメタクリル酸メチル、羊毛、ナイロンなどのポリカーボネートよりも帯電列が＋側の繊維を用いたり、他方の不織布にはポリスチレン、ポリエチレン、ポリプロピレン、塩化ビニル、テフロン（登録商標）などのポリカーボネートよりも帯電列が−側の繊維を用いたりすることが出来る。このようにすれば残留トナー、残留外添剤の極性が異なっても、良好なクリーニング性能が得られる。
【００３３】
不織布の製造工程には、（１）フリース形成と（２）繊維間結合の２工程がある。まず、フリースとよばれる繊維の集積層を形成し、次に繊維同士を結合させる。
【００３４】
・（１）フリース形成
フリース形成には乾式法、湿式法、スパンボンド法の３つの形成方法がある。
乾式法は短繊維（１５〜１００ｍｍ）を、カードと呼ばれる機械やエアレイと呼ばれる空気流で一定方向またはランダムに並べて形成する。
湿式法は紙を作る場合と同じように、ガラス繊維やパルプ原料のようなごく短い繊維（６ｍｍ以下）を水中に分散し網状のネット上に漉き上げてフリースを形成する。この方式で形成すると厚さが均一で、目付け（単位面積当たりの質量）を自由に変えることが可能となる。
スパンボンド法は溶かした原料樹脂を直接ノズルの先から溶出・紡糸させ、連続した長い繊維でフリースを形成する方法である。広幅、高速生産などにも対応可能な特徴がある。
【００３５】
・（２）繊維間結合
繊維間結合にはケミカルボンド法、サーマルボンド法、ニードルパンチ法、水流絡合法の４つの方法がある。
ケミカルボンド法はエマルジョン系の接着樹脂を含浸あるいはスプレー等の方法でフリースに付着させ、加熱・乾燥させて繊維の交点を接着する方法であり、柔軟性とドレープ性に富む特徴がある。
サーマルボンド法は低融点の熱融着繊維を混合したフリースを、熱ロールの間を通して熱圧着する、または熱風を当て繊維同士を接着させる方法であり、接着剤を使用しないため、繊維の特徴が結合後も維持されやすい特徴がある。
ニードルパンチ法はフリースを、高速で上下するニードル（針）で繰り返し突き刺し、ニードルに刻まれたバーブという突起により繊維を絡ませる方法であり、バルク性に富み繊維間の剥離がない特徴がある。
水流絡合法はフリースに高圧の水流を柱状に噴射して繊維を絡ませる方法であり、柔軟でドレープ性に富み、毛羽立ちしない特徴がある。
【００３６】
本発明においては、不織布の厚さの均一性、繊維単体の特徴が活かせることから、フリース形成には湿式法、繊維間結合にはサーマルボンド法が適している。
【００３７】
図４を参照して、クリーニング部材としての不織布ローラ１０について、より具体的に説明する。
図４（ａ）は不織布ローラ１０の平面図であり、図４（ｂ）は図４（ａ）に示すIIｂ−IIｂ断面線における不織布ローラ１０の拡大断面図である。
【００３８】
図４（ａ）に示すように、不織布ローラ１０は、芯材１１０と、その芯材１１０を被覆する被覆層１２０とによって構成されている。また、この被覆層１２０は、図４（ｂ）に示すように、被覆層１２０の表面を構成する表面層１２０ａと、その表面層１２０ａと芯材１１０との間に形成されている下地層１２０ｂとによって構成されている。
尚、表面層１２０ａと下地層１２０ｂとの間、および、芯材１１０と下地層１２０ｂとの間には、図示しない接着層が備えられている。また、芯材１１０は円柱状金属シャフトである。
【００３９】
表面層１２０ａは、感光体１の表面に接触し、感光体１の表面に付着している残留トナーや、トナーの流動性及び帯電性を制御する外添剤や、紙粉等の微粒子を掻き取り、捕獲するものであり、上述した不織布よって構成されている。
この織布には、前述の繊維やポリエステルまたはナイロン製の長繊維が用いられており、その単糸繊度（１本の細さ）は約０．１デシテックス（約２μｍ）〜２０デシテックス（約２５μｍ）と微細である。
【００４０】
また、表面層１２０ａは、シート状の織布を下地層１２０ｂに巻回して構成されているので、表面層１２０ａの表面には継ぎ目Ｔ１が形成されている。
継ぎ目が感光体に対して同時に当接されることが問題である場合は、不織布の裁断を細長い形態として、下地層１２０ｂにらせん状に巻いて、継ぎ目もらせん状になるように形成することも出来る。図４に示す例では、継ぎ目Ｔ１は直線状に形成されている。
【００４１】
下地層１２０ｂは必要に応じ形成される物で、下地層の目的は、感光体に対する押圧力、ニップ、食い込み量などの調整が必要な場合に形成される。
図４に示す例では、下地層はクッション層として作用し、柔軟性を有するウレタン製である。具体的には、ポリイソシアネートとポリオール（ポリエーテル型またはポリエステル型のポリオール）とを反応させ、重合体生成反応と発泡反応とを同時に開始させたものであり、ポリエーテル系とポリエステル系とのいずれをも使用することができる。
尚、ポリイソシアネート、ポリオールとしては、その種類には特に制限されない。例えば、ポリイソシアネートとしては、ＴＤＩ（トルエンジイソシアネート）、ＭＤＩ（ジフェニルメタン−４，４′−ジイソシアネート）、ＴＤＩとＭＤＩとの混合物等を使用できる。ポリオールとしては、アルキレンオキサイドを付加したポリエーテルポリオール、カルボン酸とグリコール等を重縮合して得られたポリエステルポリオール、開環重合により得られる付加重合型ポリエステルポリオール等を使用できる。
【００４２】
次に、本発明に係わる不織布ローラの表面を清掃する清掃手段である清掃部材について説明する。
前述の通り、不織布はポーラス（多孔質）構造が特徴であるがために、表面に付着したトナーや外添剤が内部に取り込まれ、目詰まりしてしまう不具合があることがわかった。目詰まりを防止するためには不織布表面に付着したトナーや外添剤を内部に取り込む前に清掃部材にて除去すればよい。
【００４３】
本発明に係わる清掃部材は、不織布表面に付着したトナーや外添剤を吸着する性質の部材を用いることができる。吸着する性質の部材としては、ゲル状クリーナーなどを用いることができる。また、不織布表面からトナーや外添剤を叩き落すために板状清掃部材を用いることができる。
【００４４】
特に板状清掃部材は効果の持続性が高く、部材の交換が長期にわたり必要無い。
板状清掃部材の厚みが厚くなると不織布ローラの形状を変形される恐れがある。しかし、薄すぎても効果が弱い。このため、厚みは１０μｍ以上１ｍｍ以下の薄肉が好ましく、特に２０μｍ以上５００μｍ以下がより好ましい。
【００４５】
板状清掃部材に用いられる材質については、アルミ、鉄、チタン、銅、ステンレス等合金などの金属や、ポリエチレン、ポリ塩化ビニル、ポリエステル、ポリプロピレン、ポリ塩化ビニリデン、ポリカーボネート、ポリスチレン、ポリアクリロニトリルなどの樹脂、ウレタンゴム、シリコーンゴム、スチレンブタジエンゴム、アクリルゴム、天然ゴムなどのゴムを用いることができる。これらの中でも特に樹脂が好ましい。樹脂は厚みの調整が容易であり、可撓性に優れているため不織布への劣化作用が少なく、耐久性も高い。特にポリエステルが好ましく、より好ましくはＰＥＴである。導電性ＰＥＴを用いた場合、電界をかけることで不織布表面から静電的にトナーや外添剤を除去できる。
【００４６】
さらに、板状清掃部材には切り込みが入っているとより好ましい。切り込み例を図５に示す。
不織布ローラ１０に接して設けられた板状清掃部材１４に、切り込み１４Ｓが設けられている。
切り込みが入っていることで不織布表面へ均一に板状清掃部材が当たり、さらに不織布に長時間当接されても双方に形状変化が少ない。切り込みは１箇所でも充分効果があるが、３箇所以上がより好ましい。
この板状清掃部材は１枚でも充分効果があるが、複数枚用いてもよい。この場合、例えば円柱状金属シャフトの外周面に複数枚はりつけた清掃部材ローラを、不織布ローラと逆回転させることで連続的に表面に付着したトナーや外添剤を除去できる。
また、不織布ローラの表面に切り込みを入れるなど微小な段差を設けることもできる。この場合、不織布ローラの段差で板状部材がはじかれるように作用し、より叩き落す効果が高くなる。
【００４７】
〔金属石鹸〕
次に金属石鹸を含む滑剤を供給する工程について説明する。
本発明に係る画像形成方法では、滑剤塗布工程を備えている。図１に示すように、滑剤塗布ブラシ１１は、感光体１と滑剤１２に同時に接触してなり、感光体１回転時には感光体１と逆回転もしくは周速差をもって順方向に回転する。このようにすると、滑剤塗布ブラシ１１によって滑剤１２は掻き取られ、滑剤塗布ブラシ１１上に保持され、次いで感光体１に滑剤１２が供給される。滑剤１２は、滑剤塗布ブラシ１１に対して均一に、且つ、繰り返し使用によっても同じ圧力で当接されるべきものであるので、図１には記していないが、滑剤１２には滑剤塗布ブラシ１１と対向する側に板バネなどの押圧機構を有することが好ましい。
【００４８】
本発明に係わる金属石鹸は、脂肪酸とアルカリ金属以外の金属との金属塩を指す。金属石鹸の性質は、構成する脂肪酸と金属の両者で決まり、脂肪酸分子間の疎水結合に関連する物性と金属間結合に関連する物性と化学的性質を併せ持っている。
本発明における金属石鹸の目的は、感光体への被覆による保護と感光体表面の低表面エネルギー化による離型性向上であるから、金属石鹸の脂肪酸の炭素数はＣ１８以上の長鎖の物が好適であり、また、金属についてはＢａ、Ａｌ、Ｚｎ等の接触角が高い金属塩が好ましい。
【００４９】
滑剤の塗布工程は以上の構成を採っているので、滑剤塗布ブラシは常時同じ状態であることが好ましい。即ち、滑剤の塗布領域（滑剤塗布ブラシ）に清掃しきれないトナーやトナー外添剤が混入することは、金属石鹸の掻き取り力や塗布能力に影響を与えるため、不織布が滑剤塗布ブラシの直前に存在する構成が特に有効である。
【００５０】
本発明においては感光体、トナー、帯電用部材（帯電手段）、現像部材（現像手段）、転写部材（転写手段）、不織布以外のクリーニング部材（クリーニング手段）、除電部材（除電手段）などは従来から公知の技術が利用できる。
また、上述した画像形成装置は、少なくとも感光体と、該感光体に当接配置されてなる不織布を有するクリーニング部材と、を備えるプロセスカートリッジを、着脱自在に備える構成としてもよい。このプロセスカートリッジは、この他、帯電手段、露光手段、現像手段、転写手段、滑剤供給手段、他のクリーニング部材（クリーニングブレード等）から選ばれる１以上をさらに備えても良い。
【実施例】
【００５１】
以下、本発明を実施例により更に詳しく説明する。
【００５２】
〔実施例１〕
繊度１ｄｔｅｘ、繊維長５１ｍｍのナイロン繊維を湿式法によりフリース形成し、次にサーマルボンド法で繊維間結合を行い、目付け５００ｇ／ｍ２、厚さ２．５ｍｍの不織布を得、この不織布を幅１０ｍｍ、長さ８００ｍｍの長帯状に裁断した。
次にφ６ｍｍ、４０ｍｍ長のステンレス製円筒芯材を準備し、この上に両面接着テープを貼った。
最後に、前述の長帯状の不織布をこの円筒芯材の上に隙間無く螺旋状に巻いて不織布ローラを得た。
得られた不織布ローラを図２に示す構成の画像形成装置の不織布ローラ１０として組み込み、薄肉板状清掃部材１４としてアルミ板（厚さ０．２ｍｍ）を組み込み、画像形成装置を得た。
【００５３】
〔実施例２〕
薄肉板状清掃部材１４を合成ゴム板（オオサカゴム  ＭＳＲ  厚さ１ｍｍ）に変更した以外は、実施例１と同様にして、図２に示す構成の画像形成装置を得た。
【００５４】
〔実施例３〕
薄肉板状清掃部材１４をＰＥＴフィルム（帝人デュポンフィルム  マイラー  厚さ０．１ｍｍ）に変更した以外は、実施例１と同様にして、図２に示す構成の画像形成装置を得た。
【００５５】
〔実施例４〕
薄肉板状清掃部材１４を均等に１０箇所切り込みを入れたＰＥＴフィルム（帝人デュポンフィルム  マイラー  厚さ０．１ｍｍ）に変更した以外は、実施例１と同様にして、図２に示す構成の画像形成装置を得た。
【００５６】
〔実施例５〕
繊度２ｄｔｅｘ、繊維長５１ｍｍのナイロン繊維を湿式法によりフリース形成し、次にサーマルボンド法で繊維間結合を行い、目付け５００ｇ／ｍ２、厚さ２．５ｍｍの不織布を得、この不織布を幅１０ｍｍ、長さ８００ｍｍの長帯状に裁断した。
次にφ６ｍｍ、４０ｍｍ長のステンレス製円筒芯材を準備し、この上に両面接着テープを貼った。
最後に、前述の長帯状の不織布をこの円筒芯材の上に隙間無く螺旋状に巻いて不織布ローラを得た。
得られた不織布ローラを図１に示す構成の画像形成装置の不織布ローラ１０として組み込み、ゲル状清掃部材（ポリビニルアルコール高分子ゲル）は画像形成時に不織布ローラから離れ、非画像形成時に当接するように改造した。
【００５７】
〔比較例１〕
薄肉板状清掃部材１４を組み込まない以外は実施例２と全く同様にして画像形成装置を得た。
【００５８】
以上の様にして得られた画像形成装置及びトナーを用いて複写試験を行った。試験モードは図６に示す画像を原稿として、矢印の方向に作像し感光体の長手方向手前側から奥側へ３段階で画像濃度が異なる加速劣化試験とし、３０００枚のプリント試験を行った。
上述の実施例、比較例で記した以外の構成および試験条件は以下のようにした。
【００５９】
（画像形成装置の構成と試験条件）
感光体：アルミニウム支持体上に下引き層、電荷発生層、電荷輸送層をこの順に積層した有機感光体であり電荷輸送層のバインダーはポリカーボネート
帯電：ＡＣ帯電にＤＣを重畳した接触帯電方式
書き込み：７８０ｎｍＬＤ
現像：２成分現像方式
使用したトナー：重合トナー、平均粒径５．３μｍ、平均円形度０．９９１、平均粒径１０ｎｍのシリカを外添
転写：ポリイミド製中間転写ベルト方式
クリーニングブラシがある場合：ポリエステル製ブラシ
クリーニングブラシ：ウレタンゴムブレード
滑剤塗布：ポリエステルブラシ
滑剤：ステアリン酸亜鉛８×８×３２０ｍｍブロック形状
除電：波長６６０ｎｍＬＥＤ
システム線速：４００ｍｍ／ｓｅｃ
プリント画像：Ａ４サイズの図６画像パターン
プリント枚数：３０００枚
プリント環境：１５℃３０％
【００６０】
以上のプリント試験の評価は次のようにした。
＜虫食い転写＞
１０００枚後に通常の文字画像をプリントし、文字の中抜けが発生しているか。なお、僅かに派生という程度であれば実使用に耐えうるレベルである。
＜クリーニング性＞
１０００枚のプリント試験後に画像形成装置から感光体を取り出して、クリーニング工程以降の部分の感光体上を観察し、クリーニング不良が発生しているか。なお、高画像濃度部で不良という程度であれば実使用に耐えうるレベルである。
＜滑剤消費状況＞
１０００枚のプリント試験後に滑剤を取り出し、その消費量（残存する滑剤厚み）にプリント画像濃度差に起因する長手方向で偏りがあるか。なお、やや偏りがあるという程度であれば実使用に耐えうるレベルである。
＜感光体偏摩耗＞
１０００枚のプリント試験後に感光体を取り出し、感光層の摩耗（残存膜厚）に長手方向でプリント画像濃度差に起因する偏りがあるか。なお、偏磨耗有りという程度であれば実使用に耐えうるレベルである。
＜変形＞
３０００枚のプリント試験後に清掃部材を取り出し、形状変化や摩耗しているか。なお、ゆがみ、僅かにゆがみ、僅かに磨耗、著しい形状変化という程度であれば実使用に耐えうるレベルである。
【００６１】
以上の評価結果を下記表１及び２に記す
【００６２】
【表１】
2013020011.tif 000003
【００６３】
【表２】
2013020011.tif 000004
【００６４】
ここで、実施例５の変形の評価結果である著しい形状変化について詳細に説明する。
実施例５の清掃部材はゲル状なので固体物質のように形を保つことができないが、形状変化をしても不織布ローラにゲル状清掃部材が接していればクリーニング品質が保てる。今回の実施例５における評価では、３０００枚のプリント試験後において著しく形状変化していたため、評価中に不織布ローラに接していなかった部分や時間があった可能性があり、このため、実施例１〜４よりも諸評価において劣ることになったと推察される。ただし、この実施例５では、クリーニング品質等の所望の特性において、清掃部材を用いない比較例１よりも格段に良好であることがわかった。実施例５では３０００枚のプリント試験で本発明の効果が確認できたが、さらに１０００枚のプリント試験を行う場合は、ゲル状清掃部材の交換、もしくは形状を整えることで、所望の特性が継続して得られる。
【００６５】
以上より明らかなように、本発明による実施例１〜５の画像形成装置は低温環境で、かつ画像濃度に著しい差が連続して与えられる過酷なクリーニング条件であっても、安定したクリーニング品質が保てるので、次工程の滑剤供給が安定し、そのため虫食い転写画像、クリーニング不良などの発生が起こりにくく良好な画像を示すものであることが分かる。画像濃度差に起因する滑剤の消費偏りや感光体の偏磨耗は抑制されるので、長期に渡った信頼性が確保できるものである。
また、清掃部材は薄肉板状が良好であることがわかった。
さらに、薄肉板状部材は樹脂製であるとより良好であり、切り込みが入ると変形せずさらに信頼性が長期間確保されることがわかった。
【符号の説明】
【００６６】
１  感光体
２  帯電ローラ（帯電手段）
３  書き込み光
４  現像ローラ（現像手段）
５  転写ローラ（転写手段の一部）
６  中間転写体（転写手段の一部）
７  ＰＣＬランプ
９  クリーニングブレード（クリーニング手段の一部）
１０  不織布（クリーニング手段の一部）
１１  滑剤塗布ブラシ（滑剤塗布手段）
１２  滑剤
１３  ＱＬランプ（除電手段）
１４  清掃部材（清掃手段）
１１０  芯材
１２０  被覆層
１２０ａ  表面層
１２０ｂ  下地層
Ｔ１  継ぎ目
【先行技術文献】
【特許文献】
【００６７】
【特許文献１】特開平１−１７０９５１号公報
【特許文献２】特開２０００−１６２８８１号公報
【特許文献３】特許第２８５９６４６号公報
【図１】
2013020011.tif 000005
【図２】
2013020011.tif 000006
【図３】
2013020011.tif 000007
【図４】
2013020011.tif 000008
【図５】
2013020011.tif 000009
【図６】
2013020011.tif 000010